(57)【要約】【課題】専用の装置を用いずに、リアルタイムに使用者が歌唱している姿に任意の背景画像を合成して記録媒体に記録することができるカラオケ自動レコーディング装置を提供する。【解決手段】歌唱者を撮影するカメラ７と、カメラ７が撮影した映像と合成するための背景画像を記憶したＨＤＤ６と、カメラ７が撮影した映像とＨＤＤ５に記憶した背景画像とを合成するＣＰＵ２と、ＣＰＵ２が合成した合成映像に伴奏音および歌唱音とを含むＭＰＥＧ２で符号化したデータをＤＶＤに記録するＣＰＵ２と、を備えているカラオケ自動レコーディング装置１において、ＣＰＵ２内にコアＡ２ａとコアＢ２ｂの２つのＣＰＵコアが設けられ、合成をコアＡ２ａ、符号化および記録をコアＢ２ｂが行い、それぞれのコアＣＰＵが独立して同時に動作する。【選択図】図１
2012010240.tif 000002
【特許請求の範囲】
【請求項１】
伴奏音に合わせて歌唱している人物を撮影するカメラと、前記カメラが撮影した映像のうち前記人物部分と合成するための背景画像を記憶した記憶手段と、前記カメラが撮影した映像のうちの前記人物部分と前記記憶手段に記憶した背景画像とを合成する合成手段と、前記合成手段が合成した合成映像に前記伴奏音および前記人物の歌唱音とを含んだデータを記録媒体に記録するカラオケ映像記録手段と、を備えているカラオケ自動レコーディング装置であって、
前記合成手段と、前記カラオケ映像記録手段と、がそれぞれ異なるＣＰＵで構成され、各々の前記ＣＰＵが独立して同時に動作することを特徴とするカラオケ自動レコーディング装置。
【発明の詳細な説明】
【技術分野】
【０００１】
本発明は、カラオケの伴奏音に合わせて歌っている人物を撮影して、任意の背景画面と合成して記録媒体に記録するカラオケ自動レコーディング装置に関するものである。
【背景技術】
【０００２】
例えば、特許文献１〜３に記載されたカラオケ装置などのように、演奏されるカラオケ曲に合わせて使用者（人物）が歌唱している姿に任意の背景画像を合成した歌唱音および演奏音（伴奏音）を含んだ映像データを光学式ディスクなどに記録する機能を有するものが提案されている。そして、使用者は、映像データを記録した光学式ディスクを後で再生して楽しむことができる。
【先行技術文献】
【特許文献】
【０００３】
【特許文献１】特開平５−２３６４２３号公報
【特許文献２】特開２０００−２９４７２号公報
【特許文献３】特開２００３−１７７７６４号公報
【発明の概要】
【発明が解決しようとする課題】
【０００４】
しかしながら、上述したカラオケ装置などで使用者が歌唱している姿に任意の背景画像を合成する動作や、歌唱音および演奏音を含んだ映像データを光学式ディスクなどに記録する動作などは、リアルタイムで行うためにはそれぞれ専用の処理装置で行う必要があり、高価になってしなうという問題があった。そのため、例えば汎用のパーソナルコンピュータ（パソコン）などを用いて行う場合、ＣＰＵの処理能力が足りないために、合成した映像を一端バッファメモリなどに格納してから光学式ディスクなどに記録する必要があるためにリアルタイム処理が困難であった。
【０００５】
上述した問題は、特に光学式ディスクなどに記録する際に、映像をＭＰＥＧ２などのＣＰＵに負荷が大きい符号化方式で符号化して記録すると影響が大きくなる。
【０００６】
そこで、本発明は、専用の装置を用いずに、リアルタイムに使用者が歌唱している姿に任意の背景画像を合成して記録媒体に記録することができるカラオケ自動レコーディング装置を提供することを課題とする。
【課題を解決するための手段】
【０００７】
伴奏音に合わせて歌唱している人物を撮影するカメラと、前記カメラが撮影した映像のうち前記人物部分と合成するための背景画像を記憶した記憶手段と、前記カメラが撮影した映像のうちの前記人物部分と前記記憶手段に記憶した背景画像とを合成する合成手段と、前記合成手段が合成した合成映像に前記伴奏音および前記人物の歌唱音とを含んだデータを記録媒体に記録するカラオケ映像記録手段と、を備えているカラオケ自動レコーディング装置であって、前記合成手段と、前記カラオケ映像記録手段と、がそれぞれ異なるＣＰＵで構成され、各々の前記ＣＰＵが独立して同時に動作することを特徴とするカラオケ自動レコーディング装置である。
【発明の効果】
【０００８】
以上説明したように請求項１に記載の発明によれば、合成手段と、カラオケ映像記録手段と、がそれぞれ異なるＣＰＵで構成され、各々のＣＰＵが独立して同時に動作するので、合成手段とカラオケ映像記録手段の動作がそれぞれ同時かつ独立に行うことができ、専用の装置を用いずに、リアルタイムに使用者が歌唱している姿に任意の背景画像を合成して光学式ディスクなどに記録することができる。
【図面の簡単な説明】
【０００９】
【図１】本発明の一実施形態にかかるカラオケ自動レコーディング装置の構成を示すブロック図である。
【発明を実施するための形態】
【００１０】
次に、本発明の一実施形態を図１を参照して説明する。本発明の一実施形態にかかるカラオケ自動レコーディング装置１は、図１に示すように、合成手段、カラオケ映像記録手段としてのＣＰＵ２と、ＲＡＭ３と、ＲＯＭ４と、記憶手段としてのＨＤＤ５と、ＤＶＤドライブ６と、カメラ７と、ビデオＩ／Ｆ８と、オーディオＩ／Ｆ９と、撮影条件設定手段としての操作部１０と、モニタ１１と、バス１２と、を備えている。
【００１１】
ＣＰＵ２は、図１に示したようにコアＡ２ａとコアＢ２ｂの２つのＣＰＵコアから構成されている。そして、カラオケ自動レコーディング装置１の全体制御をＲＯＭ３やＨＤＤ５などに格納された制御プログラムを実行することで行う。特に、本実施形態では、ビデオＩ／Ｆ８を介して入力されたカメラ７で撮影された映像と、ＨＤＤ５に予め格納されている背景画像とを合成（クロマキー合成）し、合成した映像と、オーディオＩ／Ｆ９を介して入力されるカラオケの伴奏音と、その伴奏音に合わせて歌唱している人物の歌声（歌唱音）と、を合わせてＭＰＥＧ２方式で符号化して符号化データをＤＶＤドライブ６に出力し、ＤＶＤドライブ６にセットされているＤＶＤに記録（録画）させる。
【００１２】
本実施形態では、例えばコアＡ２ａに、ビデオＩ／Ｆ８を介して入力されたカメラ７で撮影された映像と、ＨＤＤ５に予め格納されている背景画像とを合成（クロマキー合成）させる動作を割り当て、コアＢ２ｂに、合成した映像と、オーディオＩ／Ｆ９を介して入力されるカラオケの伴奏音と、その伴奏音に合わせて歌唱している人物の歌声（歌唱音）と、を合わせてＭＰＥＧ２方式で符号化して符号化データをＤＶＤドライブ６に出力させる動作を割り当てる。
【００１３】
ＲＡＭ３は、揮発性のメモリで構成された読み書き可能な記憶素子であり、ＣＰＵ２が各種動作を行う際に発生するデータ等を一時的に格納するワーク領域として使用される。ＲＯＭ４は、不揮発性のメモリで構成された読み出し専用の記憶素子であり、カラオケ自動レコーディング装置１の制御プログラムやパラメータ等が記憶されている。
【００１４】
ＨＤＤ５は、カラオケ自動レコーディング装置１の制御プログラムやカメラ７で撮影され人物と合成するための複数の背景画像などが格納されているハードディスクドライブである。ＤＶＤドライブ６は、ＣＰＵ２で背景と合成された映像に伴奏音と歌唱音を含んだＭＰＥＧ２方式で符号化されたデータを記録媒体であるＤＶＤに記録するドライブ装置である。
【００１５】
カメラ７は、図示しないカラオケの伴奏音に合わせて歌唱している人物（歌唱者）を撮影しているビデオカメラであり、撮影した映像はビデオＩ／Ｆ８と、バス１２を介してＣＰＵ２に送られる。
【００１６】
オーディオＩ／Ｆ９は、図示しないカラオケ装置から出力されたカラオケの伴奏音と歌唱音とをバス１２を介してＣＰＵ２に出力する。なお、伴奏音と歌唱音は両方が合成された音声として入力しても良いし、別々に入力しても良い。
【００１７】
操作部１０は、複数のボタン等が設けられカラオケ自動レコーディング装置１の操作を行う。この操作は、ＤＶＤへの記録の開始／終了や、カメラ７の操作および合成する背景画像の選択などである。なお、操作部１０はリモートコントローラ（リモコン）で構成しても良いし、カラオケ自動レコーディング装置１本体部とリモコンの双方で操作可能としても良い。
【００１８】
モニタ１１は、カラオケ自動レコーディング装置１の操作画面やカメラ７が撮影した映像あるいは合成画像などが表示される表示装置であり、例えば液晶ディスプレイなどで構成される。
【００１９】
このように構成されたカラオケ自動レコーディング装置１は、まず、ＤＶＤドライブ６にＤＶＤのディスクをセットする。そして、操作部１０でモニタ１０に表示される操作画面を参照しながらＨＤＤ５に格納されている背景画像を選択し、録画を開始する操作を行うと、カメラ７は歌唱者の撮影を開始する。ＣＰＵ２で歌唱者と選択した背景画像と合成して伴奏音と歌唱音とを含むＭＰＥＧ２で符号化したデータとしてＤＶＤドライブ６からＤＶＤに記録する。そして、歌唱が終了したら、操作部１０で録画を終了する操作を行うことでＤＶＤへの記録を終了する。
【００２０】
本実施形態によれば、ＣＰＵ２が、コアＡ２ａとコアＢ２ｂの２つのコアＣＰＵから構成され、コアＡ２ａに、ビデオＩ／Ｆ８を介して入力されたカメラ７で撮影された映像と、ＨＤＤ５に予め格納されている背景画像とを合成（クロマキー合成）させ、コアＢ２ｂに、合成した映像とオーディオＩ／Ｆ９を介して入力されるカラオケの伴奏音と、その伴奏音に合わせて歌唱している人物の歌声（歌唱音）と、を含みＭＰＥＧ２方式で符号化したデータをＤＶＤドライブ６に出力させるので、合成処理と合成映像と音声の符号化および出力処理をそれぞれのコアＣＰＵで行うことができ、各動作がそれぞれ同時かつ独立に行うことができ、専用の装置を用いずに、リアルタイムに使用者が歌唱している姿に任意の背景画像を合成してＤＶＤに記録することができる。
【００２１】
なお、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００２２】
１     カラオケ自動レコーディング装置
２     ＣＰＵ（合成手段、カラオケ映像記録手段）
２ａ   コアＡ（異なるＣＰＵ）
２ｂ   コアＢ（異なるＣＰＵ）
５     ＨＤＤ（記憶手段）
７     カメラ
１０   操作部（撮影条件設定手段）
【図１】
2012010240.tif 000003